(57)【要約】本発明は、カッティングブレードに折り曲げまたは溶接用溝を正確な形状に加工するカッティングブレードの溝加工装置に関し、本発明にかかわるカッティングブレードの溝加工装置は、カッティングブレード成形装置のベース（１２）に対向して一対の固定ブロック（２０）が取り付けられ、この固定ブロック（２０）の内側にはスライダー（３０）が、このスライダー（３０）にはバイト支持ブロック（４０）がそれぞれ結合されて上下に上昇／下降するよう設けられ、スライダー（３０）とバイト支持ブロック（４０）は第１、第２作動機具（５１、５２）により上下に作動される。固定ブロック（２０）とスライダー（３０）およびバイト支持ブロック（４０）は、互いに相応して結合されるダブテイルタイプの第１〜第４ガイド部に形成され、固定ブロック（２０）の第１ガイド部とスライダー（３０）の第２ガイド部はスライダー（３０）が下部に下降するほど、水平（横）方向の中央に向けて移動する勾配（傾斜）が形成される。ブローチングバイト（４１）の下部はカッティングブレード（１０）の側面を支持する支持面部（４１ｃ）が形成され、この支持面部（４１ｃ）の上段に少なくとも１つのブローチング刃（４１ｄ）が形成される。
2005517545.tif 000002
【特許請求の範囲】
【請求項１】
カッティングブレード成形装置のベース（１２）に所定間隔を置いて固定され、対向するよう上下に第１ガイド部が形成された固定ブロック（２０）と、
この固定ブロック（２０）の第１ガイド部に相応する形状の第２ガイド部が結合されて上下に上昇／下降し、前記の第２ガイド部の反対方向に上下に長い第３ガイド部が形成されたスライダー（３０）と、
このスライダー（３０）の第３ガイド部に相応する形状の第４ガイド部が結合されて上下に上昇／下降し、前記第４ガイド部の反対方向にブローチングバイト（４１）が固定されたバイト支持ブロック（４０）と、
前記スライダー（３０）とバイト支持ブロック（４０）を上下に作動させる第１、第２の作動機具（５１、５２）を含むことを特徴とするカッティングブレードの溝加工装置。
【請求項２】
請求項１において、
前記固定ブロック（２０）の第１ガイド部とスライダー（３０）の第２ガイド部、スライダー（３０）の第３ガイド部とバイト支持ブロック（４０）の第４ガイド部は、互いに相応して結合されるダブテイルタイプに形成されていることを特徴とするカッティングブレードの溝加工装置。
【請求項３】
請求項１または２において、
前記固定ブロック（２０）の第１ガイド部とスライダー（３０）の第２ガイド部は、スライダー（３０）が下降するほど水平（横）方向の中央に向けて移動し、スライダー（３０）が上昇するほど外側に展開する勾配（傾斜）が形成されていることを特徴とするカッティングブレードの溝加工装置。
【請求項４】
請求項１において、
前記スライダー（３０）およびバイト支持ブロック（４０）が上下に移動するに従い水平方向への移動を受容するよう、前記スライダー（３０）およびバイト支持ブロック（４０）の終端部分には水平方向に第１、第２の水平溝（３３、４５）が形成され、第１、第２の作動機具（５１、５２）の第１、第２ピストンロッド（５１ａ、５２ａ）の終端には前記第１、第２の水平溝（３３、４５）内で移動するよう嵌入しながら連結される第１、第２のスライダーブロック（５１ｂ、５２ｂ）が設けられていることを特徴とするカッティングブレードの溝加工装置。
【請求項５】
請求項１において、
前記ブローチングバイト（４１）の下部はカッティングブレード（１０）の側面を支持する支持面部（４１ｃ）が形成され、この支持面部（４１ｃ）の上段には少なくとも１つ以上のブローチング刃（４１ｄ）が形成されていることを特徴とするカッティングブレードの溝加工装置。
【請求項６】
請求項５において、
前記ブローチング刃（４１ｄ）は三角形状に形成されていることを特徴とするカッティングブレードの溝加工装置。
【請求項７】
請求項５において、
前記ブローチング刃（４１ｄ）は矩形状に形成されていることを特徴とするカッティングブレードの溝加工装置。
【請求項８】
請求項５において、
前記ブローチング刃（４１ｄ）は多数個でなり、下部に位置したブローチング刃（４１ｄ）等から上部に位置したブローチング刃（４１ｄ）等に向けて最終加工される溝（１０ａ、１０ｂ）の形状に漸次近似して形成されていることを特徴とするカッティングブレードの溝加工装置。
【請求項９】
請求項８において、
最上部に提供されたブローチング刃（４１ｄ）は矩形状に形成され、その下部のブローチング刃（４１ｄ）等は三角形状に形成され、前記最上部のブローチング刃（４１ｄ）は直ぐ下のブローチング刃（４１ｄ）とカッティングブレード（１０）の高さ以上に離れて位置していることを特徴とするカッティングブレードの溝加工装置。
【発明の詳細な説明】
【技術分野】
【０００１】
本発明はカッティングブレード（cutting blade）の溝加工装置に関し、さらに詳しくは、カッティングブレードを多様な形状に曲げ加工する前にカッティングブレードを直角および鋭角で容易に折り曲げ得るか、平面視Ｔ形に溶接することができるようにカッティングブレードに溝を加工する装置に関する。
【背景技術】
【０００２】
一般に、紙や合成樹脂等の軟質シート製品は単にブランキング（blanking）またはピアシング（piercing）の切断工程だけで完成品のシート製品を得て、紙ボックス包装紙または合成樹脂製のビニル包装紙および各種の箱を生産する場合は箱の展開した状態、すなわち展開状態で原紙を裁断した後、接着するか折り曲げることにより完成品の箱を得る。
【０００３】
前述のとおりに箱を製作するとき、初期段階で準備される裁断過程では当該包装箱の展開形状と同一の外郭形状に成形されたカッティングブレードを板材形状の木金型に設けるが、カッティングブレードの刃が導き出されるよう取り付けた木金型をプレスのラムに設けた後、下部の金型上に単一の原紙または幾重かの原紙を載せた状態でプレスのラムを下降させてから上昇させると、ラムに取り付けられた木金型のカッティングブレードの形状どおりカッティングされることにより所望の形状に裁断されることになる。
【０００４】
前記のカッティングブレードは薄い帯状の特殊鋼鉄で製作され、長手方向に沿って一側の縁に刃が形成されたものである。このようなカッティングブレードの伝統的な製作工程は、ブレードの長手方向に沿い一方の側の縁を研磨して刃を形成する段階、曲げ溝またはブリッジ溝を形成する段階、そして曲げ処理後切断の過程を多段階に分離して進めることである。
【０００５】
前述のようにカッティングブレードを製作するとき、カッティングブレードの曲げ工程は日本国特開平８−９９１２３号公報に掲載されているように、コンピューター制御プログラムの運営制御方法に従いすでに特定の形状と模様が必要とする寸法に合わせて左／右に折り曲げを行うことは公知である。付言すれば、ガイド部材の先端に位置した可動押し部材を前記の制御により左／右に微細稼動させ、ガイド部材により嵌入された状態で排出されるカッティングブレードを適切に曲げ処理することである。
【０００６】
しかし、前述のような日本国特開平８−９９１２３号公報においてはカッティングブレードの製作工程において、例えば直角にカッティングブレードの折り曲げが必要な場合、折り曲げられるカッティングブレードの地点はカッティングブレードの内側には圧縮応力が、外側には引張応力が発生するため所定半径のラウンドが形成されることになり、これにより折り曲げ部分を直角に形成させるのは困難であるという問題点があった。
【０００７】
換言すれば、カッティングブレードを折り曲げる場合、金属材質の特性上折曲地点が所定半径のラウンドを維持しながら折り曲げられ正確な角度への折曲自体が不可能であり、結局ある程度の加工誤差が発生してもこれを甘受するしかないという問題点が内在されている。
【０００８】
したがって、カッティングブレードの曲げ作業は、特にラウンドを発生させることなく正確な角度に折り曲げるため格別な注意を傾けなければならない。
【０００９】
前記の事項を満足させるためのもので、本出願人が登録を受けた大韓民国実用新案登録第２０−０１５５９３９号には所定の幅の薄い帯で形成され、その一側の縁に刃が形成されて所定の位置に被加工物の形状通り形状を具現することができるよう、所定の角度に折り曲げることのできるカッティングブレードでその幅方向に折曲用溝が形成されたものであるところ、カッティングブレードの折曲地点を所定半径のラウンドなく鋭角は勿論、鈍角の多様な角度に折り曲げることができる。前記の折曲用溝は、グラインダーやバイトがアップ／ダウンシリンダーにより加工しながら切削するものと例示されている。
【００１０】
しかし、前記の登録実用新案公報に開示された考案は、カッティングブレードの折曲用溝をグラインダーで加工する場合、グラインダーの磨耗に従い折曲用溝の形状が変化することがあり、またバイトで加工する場合は折曲用溝を加工したあと初期の位置にバイトが復帰するとき、バイトを後退させることなくその加工方向に対し反対方向に復帰させるのでカッティングブレードにバイトが接触した状態で上昇し、このようなバイトとカッティングブレードの接触は摩擦熱を発生させてバイトを劣化させるという問題点があった。
【００１１】
特に、グラインダーおよびバイトで折曲用溝を加工するときは、カッティングブレードの加工部位を支持する構造がなくカッティングブレードで折り曲げが発生するので、正確な折曲用溝が形成されないという問題点があった。
【００１２】
さらに、大韓民国特許第１０−０２３９９４３号には水平軸を中心に回転する研磨ロールを用いてカッティングブレードの上面および下面に弧状の折曲用溝を研削加工する装置が提示されている。
【００１３】
前記の登録特許公報は、少なくともカッティングブレードの幅に相当する長さの研磨ロールを用いて上部または下部に加圧しながら研磨するが、これもまたカッティングブレードの加工部位を支持する構造を設けることができないため、加工時にカッティングブレードの加工部位が変形され易く正確な折曲用溝が形成できなかった。
【００１４】
さらに、カッティングブレードをＴ形に形成する場合固定位置が正確な矩形状の溝を加工することができず、前記のカッティングブレードの一端を半円への研磨が困難で、このようにまともな半円に研磨されなければ正確な位置に固定させることができないという問題点があった。
【００１５】
本発明は前記のような従来の諸般問題点等を解消するためのものであり、カッティングブレードを折り曲げようとする方向の表面に溝を加工するとき、カッティングブレードの他の一面を支持している状態で加工することによりカッティングブレードの変形が防止されて正確な形状の溝に加工することができ、前記の溝を形成した後ブローチングバイトがカッティングブレードと接触しないようカッティングブレードからブローチングバイトを後退させて復帰させることにより、カッティングブレードとの接触による摩擦熱の発生を防止することができるようにしたカッティングブレードの溝加工装置を提供することに目的がある。
【００１６】
本発明の他の目的は、１つのブローチングバイトで折り曲げのための三角形状の溝を形成することができ、２つのカッティングブレードをＴ形に形成するためカッティングブレードの溝に他のカッティングブレードを溶接するとき、一層大きい溶接強度が保障される矩形状の溝を容易に形成することができるようにしたカッティングブレードの溝加工装置を提供することにある。
【００１７】
前記のような目的を達成するための本発明は、カッティングブレード成形装置のベースに所定間隔を置いて固定され、上下に第１ガイド部が形成された対向する固定ブロックと、この固定ブロックの第１ガイド部に相応する形状の第２ガイド部が結合されて上下に上昇／下降し、前記の第２ガイド部の反対方向に上下に長い第３ガイド部が形成されたスライダーと、このスライダーの第３ガイド部に相応する形状の第４ガイド部が結合されて上下に上昇／下降し、前記の第４ガイド部の反対方向にブローチングバイトが固定されたバイト支持ブロックと、前記スライダーとバイト支持ブロックを上下に作動させる第１、第２の作動機具を含むことを特徴とする。
【発明の開示】
【００１８】
前記固定ブロックの第１ガイド部とスライダーの第２ガイド部、スライダーの第３ガイド部とバイト支持ブロックの第４ガイド部は互いに相応して結合しスライディングされる形状であれば如何なる形状でもよく、通常ダブテイル（dovetail）タイプやＴ形が好ましい。なお、前記固定ブロックの第１ガイド部とスライダーの第２ガイド部はスライダーが下部に下降するほど水平（横）方向の中央に向けて移動し、スライダーが上昇するほど外側に展開する勾配（傾斜）が形成される。
【００１９】
前記スライダーおよびバイト支持ブロックが上下に移動するに従い水平方向への移動を受容するよう、前記スライダーおよびバイト支持ブロックの終端部分には水平方向に第１、第２の水平溝が形成され、第１、第２の作動機具の第１、第２ピストンロッドの終端には前記第１、第２の水平溝に移動するよう嵌入しながら連結される第１、第２のスライダーブロックが設けられる。前記第１、第２の水平溝と第１、第２のスライダーブロックもまた第１〜第４ガイド部のように結合しスライディングされる形状であれば足りる。
【００２０】
前記ブローチングバイトの下部はカッティングブレードの側面を支持する支持面部が形成され、この支持面部の上段には少なくとも１つ以上の三角形状または矩形状のブローチング刃が形成される。なお、前記のブローチング刃は複数個に設けることができ、このような場合は下部に位置したブローチング刃等から上部に位置したブローチング刃等に向けて最終加工される溝の形状に漸次近似して形成される。
【００２１】
そして、複数個のブローチング刃を有するブローチングバイトで最上部のブローチング刃は矩形状に形成され、下部のブローチング刃は三角形状に形成され、最上部のブローチング刃は直ぐ下のブローチング刃とカッティングブレードの高さ以上に離れて位置されるのが好ましい。
【発明を実施するための最良の形態】
【００２２】
以下、本発明にかかわるカッティングブレードの溝加工装置の好ましい実施例を図面に基づきより詳しく説明する。
【００２３】
図１ａおよびおよび図１ｂは、本発明にかかわる装置を用いてカッティングブレード１０に三角形状の溝１０ａを形成し、この溝１０ａを中心に９０°に曲げしたカッティングブレード１０を示す図である。図２ａおよび図２ｂは、本発明にかかわる装置を用いてカッティングブレード１０に矩形状の溝１０ｂを形成し、この溝１０ｂに他のカッティングブレード１０をＴ形に溶接した状態を示す図である。
【００２４】
図３〜図７は、前記の溝１０ａ、１０ｂの加工に適するよう創作した本発明にかかわるカッティングブレードの溝加工装置を説明するため示した図である。
【００２５】
本発明にかかわるカッティングブレードの溝加工装置は、カッティングブレード成形装置においてトンネル形ガイド（図示省略）を介し支持された状態で一対のブローチングバイト４１の間にカッティングブレード１０が通過し、停止中のカッティングブレード１０の一方または両方の表面に溝１０ａ、１０ｂを形成するカッティングブレード成形装置に設けられる。
【００２６】
本発明にかかわるカッティングブレード溝加工装置は、カッティングブレード成形装置のベース１２に所定間隔を置いて対向するよう固定された一対の固定ブロック２０、この固定ブロック２０が対向した内側で上下に上昇／下降しながら水平（横）方向に移動するよう設けられた一対のスライダー３０、このスライダー３０が対向した内側で上下に上昇／下降するよう設けられてブローチングバイト４１が固定された一対のバイト支持ブロック４０、前記スライダー３０とバイト支持ブロック４０を上下に作動させる第１、第２の作動機具５１、５２を含んで構成される。
【００２７】
前記バイト支持ブロック４０のブローチングバイト４１は、カッティングブレード１０の両側で選択的に一方の側の面に溝１０ａ、１０ｂを加工するとき、他の一方の側のブローチングバイト４１はカッティングブレード１０の他方の側の面を支持する。前記カッティングブレード１０は、一対のブローチングバイト４１を介し一部が切り取られたトンネル形ガイドを介しガイドされて支持される。
【００２８】
前記固定ブロック２０は、カッティングブレード成形装置のベース１２に所定間隔を置いて互いに対向した状態で固定される一対で構成され、対向した固定ブロック２０の内側にその上段から下段に至るまでダブテイルタイプの第１ガイド部である第１ガイド溝２１が上下に形成され、この第１ガイド溝２１はこれに結合されて上下に上昇／下降するスライダー３０が下部に下がるほど水平（横）方向の中央に向けて移動するよう所定角度に勾配が形成される。
【００２９】
前記スライダー３０は互いに対向した状態で固定ブロック２０の内側に上下に上昇／下降するようそれぞれ設けられるものであり、これは一方に固定ブロック２０の第１ガイド溝２１と相応する形状の第２ガイド部である第２ガイド結合突起３１が形成されており、この第２ガイド結合突起３１の反対方向には上下に長い第３ガイド部である第３ガイド結合突起３２が形成されている。なお、スライダー３０の上段には第１作動機具５１との連結のための第１水平溝３３が形成されている。前記スライダー３０の第２ガイド結合突起３１は固定ブロック２０の第１ガイド溝２１と同一の勾配を有して形成されるが、前記第３ガイド結合突起３２はバイト支持ブロック４０のブローチングバイト４１を直立下部にガイドしなければならないため、スライダー３０を固定ブロック２０に設けるとき直立を維持しなければならない。
【００３０】
さらに、前記固定ブロック２０の上段には第１シリンダーブラケット２２が取り付けられてこの第１シリンダーブラケット２２には第１作動機具５１のエアシリンダーが取り付けられるが、このエアシリンダーの第１ピストンロッド５１ａが下部に導き出されており、その下段にはスライダー３０の上段の第１水平溝３３内で水平（横）方向にのみ移動可能な形状の第１スライダーブロック５１ｂが形成されている。この第１スライダーブロック５１ｂは第１ピストンロッド５１ａの下段に一体に形成したが、別に設けて締め付けても構わない。
【００３１】
前記バイト支持ブロック４０は互いに対向した状態で設けられたスライダー３０の内側に上下に上昇／下降するようそれぞれ設けられるもので、これは一方にスライダー３０の第３ガイド結合突起３２と相応する形状の第４ガイド部である第４ガイド溝４２が形成され、この第４ガイド溝４２の反対方向にはブローチングバイト４１が複数の第１、第２バイト固定片４３、４４により取り付けられており、下段には第２作動機具５２との連結のための第２水平溝４５が形成されている。
【００３２】
前記ブローチングバイト４１の取付けは、ブローチングバイト４１の下段および両側面を囲む形状で２つの第１バイト固定片４３と、前記ブローチングバイト４１の上段を固定する第２バイト固定片４４により構成される。このとき、ブローチングバイト４１はその上段の第２バイト固定片４４を除去すれば引き出すことができるよう、バイト支持ブロック４０と第１バイト固定片４３にスライディング可能な状態に結合される。
【００３３】
前記固定ブロック２０、スライダー３０およびバイト支持ブロック４０の下部位置であるベース１２には第２シリンダーブラケット５３が取り付けられ、この第２シリンダーブラケット５３には第２作動機具５２の油圧シリンダーが取り付けられるが、この油圧シリンダーの第２ピストンロッド５２ａが上部に導き出されており、その上段にはバイト支持ブロック４０の下段の第２水平溝４５内で水平（横）方向にのみ移動可能な形状の第２スライダーブロック５２ｂが締め付けられている。この第２スライダーブロック５２ｂは第２ピストンロッド５２ａの上段に別に設けたが、第２ピストンロッド５２ａの上段に一体に形成しても構わない。
【００３４】
前記ブローチングバイト４１は、バイト支持ブロック４０に複数の第１、第２バイト固定片４３、４４で固定される比較的広いバイトベース４１ａと、このバイトベース４１ａ部分から一方にバイトベース４１ａの幅より狭い所定厚さで導き出されたバイト本体４１ｂで形成される。前記バイト本体４１ｂは下部がカッティングブレード１０の側面を支持する支持面部４１ｃで形成され、この支持面部４１ｃの上段からその上部に多数のブローチング刃４１ｂが形成される。
【００３５】
前記ブローチング刃４１ｄは、下部に引張る力が作用するときカッティングブレード１０に溝１０ａ、１０ｂを加工することができる形状となり、これは下部に位置したブローチング刃４１ｄ等から上部に位置したブローチング刃４１ｄ等に向けて最終加工される溝１０ａ、１０ｂの形状に漸次近似して製作される。したがって、ブローチングバイト４１によりカッティングブレード１０に溝１０ａ、１０ｂが加工されるとき、先ず下部のブローチング刃４１ｄ等によりカッティングブレード１０に溝１０ａ、１０ｂの一部が加工され、以後最上部のブローチング刃４１ｄにより溝１０ａ、１０ｂが最終的に加工される。即ち、このような溝１０ａ、１０ｂの加工はブローチング方式で行なわれるものである。
【００３６】
さらに、前記ブローチングバイト４１は最上部のブローチング刃４１ｄは矩形状に形成され、下部のブローチング刃４１ｄは三角形状に形成され、最上部のブローチング刃４１ｄは直ぐ下のブローチング刃に対しカッティングブレード１０の高さ以上離れるようにすることができる。
【００３７】
そして、前記ブローチングバイト４１は加工を望むカッティングブレード１０の厚さに従い、カッティングブレード１０に対し下部の支持面部４１ｃを基準にしてブローチング刃４１ｄの導出距離、即ち溝１０ａ、１０ｂの加工深さがセッティングされている。このとき、溝１０ａ、１０ｂの加工深さは上段の刃端が損傷されない範囲、少なくとも平面上刃端と０．０５ｍｍの間隔を有しなければならない。その理由は、前記カッティングブレード１０の刃端が損傷すると裁断時に原紙が確実に切断されないためである。
【００３８】
前記でブローチングバイト４１のブローチング刃１０ｄが２つ以上の多数個で形成されたものと図示して説明したが、三角形状または矩形状でなる１つのブローチング刃で形成することができる。
【００３９】
前記のような構成を有する本発明にかかわるカッティングブレードの溝加工装置を用い、三角形状の溝１０ａを加工する過程に対し詳しく説明する。
【００４０】
先ず、図８ａに示されているように、スライダー３０およびバイト支持ブロック４０がセッティングされた初期の上部位置で、一対のブローチングバイト４１が展開した状態でカッティングブレード１０を供給する。このとき、カッティングブレード１０が三角形状の溝１０ａの形成を望む位置に到達すれば停止される。
【００４１】
このように、カッティングブレード１０が停止された状態で固定ブロック２０の上段の第１シリンダーブラケット２２に取り付けられた第１作動機具５１を作動させると、前記第１作動機具５１の第１ピストンロッド５１ａが下部に導き出されることになり、これに従い前記第１ピストンロッド５１ａの終端の第１スライダーブロック５１ｂを介し連結されたスライダー３０が下部に移動することになる。
【００４２】
このようにスライダー３０が下部に移動するほど、スライダー３０とバイト支持ブロック４０は固定ブロック２０の第１ガイド部である第１ガイド溝２１と、スライダー３０の第２ガイド部である第２ガイド結合突起３１が所定角度に勾配（傾斜）を形成しているため、トンネル形ガイドのカッティングブレード１０に向けて水平（横）方向に移動することになる。したがって、図５および図８ｂに示されているように、バイト支持ブロック４０に取り付けられたブローチングバイト４１の支持面部４１ｃがカッティングブレード１０の両側の側面に当接することになるので、カッティングブレード１０を支持する。
【００４３】
このような状態で図８ｃに示されているように、溝１０ａ、１０ｂの加工を望む方に位置した第２作動機具５２の油圧シリンダーを作動させてその第２ピストンロッド５２ａを後退下降させると、前記第２ピストンロッド５２ａの上段の第２スライダーブロック５２ｂを介し連結されたバイト支持ブロック４０が下降することになる。このとき、スライダー３０の第３ガイド部である第３ガイド結合突起３２にバイト支持ブロック４０の第４ガイド部である第４ガイド溝４２が直立状態で結合されているので、バイト支持ブロック４０のブローチングバイト４１は直立状態の下部に移動する。
【００４４】
このように一方のブローチングバイト４１が下降しながらそのブローチング刃４１ｄはカッティングブレード１０の一方の面を切削することにより三角形状の溝１０ａが加工され、このように一方のブローチングバイト４１が下降するとき、他の一方のブローチングバイト４１は停止状態でブローチングバイト４１の支持面部４１ｃによりカッティングブレード１０の一方の面を支持しているので、カッティングブレード１０の変形が防止され正確な三角形状の溝１０ａに加工されることになる。
【００４５】
このとき、前記ブローチングバイト４１は多数のブローチング刃４１ｄを有しており、それぞれのブローチング刃４１ｄ等はカッティングブレード１０に近い位置（即ち、下部位置）のものからカッティングブレード１０より遠く位置する上部位置に行くほど、三角形状の溝１０ａ形状に漸次接近する形状を有する。よって、ブローチングバイト４１がカッティングブレード１０に溝を加工するとき、比較的小さい切削抵抗が発生し、三角形状の溝１０ａの形成に伴う加工負荷が小さくなる。
【００４６】
なお、前記ブローチングバイト４１は下部にカッティングブレード１０の折り曲げのための三角形状のブローチング刃４１ｄと、上段にカッティングブレード１０を平面視Ｔ形に溶接するための矩形状のブローチング刃４１ｄが形成されているため、前記ブローチングバイト４１を用いて三角形状の溝１０ａは勿論矩形状の溝１０ｂを形成することができる。
【００４７】
前記のような装置に適用されるブローチングバイト４１は加工を望むカッティングブレード１０の厚さに従い、カッティングブレード１０に対し下部の支持面部４１ｃを基準にしてブローチング刃４１ｄの導出距離、即ち溝１０ａ、１０ｂの加工深さがセッティングされており、前記溝１０ａ、１０ｂの加工深さは上段の刃端が損傷されない範囲、少なくとも平面上刃端と０．０５ｍｍの間隔を有している。このように刃端と０．０５ｍｍの間隔を設ける理由は、前記カッティングブレード１０の刃端が損傷すると裁断時に原紙が確実に切断されないためである。
【００４８】
前記のように一方のブローチングバイト４１が完全に下降しながらカッティングブレード１０に三角形状の溝１０ａを加工した後は、固定ブロック２０の上段の第１シリンダーブラケット２２の第１作動機具５１であるエアシリンダーを作動させ、前記第１作動機具５１の第１ピストンロッド５１ａが上部に挿入されて元の位置（初期位置）に復帰し、これに従い前記第１ピストンロッド５１ａの終端の第１スライダーブロック５１ｂを介し連結されたスライダー３０もまた上部に移動することになる。
【００４９】
このようにスライダー３０が上部に移動するほど、スライダー３０とバイト支持ブロック４０は固定ブロック２０の第１ガイド部である第１ガイド溝２１と、スライダー３０の第２ガイド部である第２ガイド結合突起３１が所定角度に勾配（傾斜）を形成しているため、図８ｄに示されているように、トンネル形ガイド内部のカッティングブレード１０を中心にして外側水平（横）方向に移動することになる。したがって、前記バイト支持ブロック４０に取り付けられたブローチングバイト４１の支持面部４１ｃがカッティングブレード１０の両側面から外側に展開することになる。
【００５０】
このようにカッティングブレード１０からブローチングバイト４１が外側に展開している状態で、図８ｅに示されているように、三角形状の溝１０ａを加工した方に位置した第２作動機具５２である油圧シリンダーを再び作動させると、この油圧シリンダーの第２ピストンロッド５２ａを元の位置に前進上昇させ、前記第２ピストンロッド５２ａの上段の第２スライダーブロック５２ｂを介し連結されたバイト支持ブロック４０もまた上昇させる。
【００５１】
したがって、ブローチングバイト４１がカッティングブレード１０に接しない状態で上昇するので摩擦がなく、これによるブローチングバイト４１の劣化防止は勿論寿命延長がなされる。このとき、前記バイト支持ブロック４０のブローチングバイト４１はスライダー３０の第３ガイド部である第３ガイド結合突起３２にバイト支持ブロック４０の第４ガイド部である第４ガイド溝４２が直立状態で結合されたものであるので、直立状態の上部に移動しながら元の位置（初期位置）に復帰する。
【００５２】
前記のように一連の過程が完了してバイト支持ブロック４０のブローチングバイト４１が初期位置に復帰したとき、さらに他の三角形状の溝１０ａが加工される位置までカッティングブレードが予めプログラムされた距離ほど移送される。
【００５３】
前記のような説明は、カッティングブレード１０の一方の面に三角形状の溝１０ａを加工するため本発明にかかわるカッティングブレードの溝加工装置の作動を説明したものであり、カッティングブレード１０の他の一方の面に三角形状の溝１０ａを加工するときは一方のブローチングバイト４１と対向する他の一方のブローチングバイト４１を用いることができる。
【００５４】
前記のような一連の加工過程を必要な個数ほど繰り返して所定形状のカッティングブレード１０を得るものであるが、その加工過程もまた前記で説明したものと同一であるので、その具体的な説明は省略する。
【００５５】
そして、前記ブローチングバイト４１で三角形状の溝１０ａを加工する過程に対し説明したが、前記で説明したように、本発明にかかわるブローチングバイト４１は下部にカッティングブレード１０の折り曲げのための三角形状のブローチング刃４１ｄと、上段にカッティングブレード１０を平面視Ｔ形に溶接するための矩形状のブローチング刃４１ｄが形成されているので、三角形状の溝１０ａは勿論矩形状の溝１０ｂを形成することができる。
【００５６】
前記矩形状の溝１０ｂは、カッティングブレード１０の矩形状の溝１０ｂに他のカッティングブレード１０を溶接するとき用いるための溝であり、これはブローチングバイト４１の下部に形成されたブローチング刃４１ｄ等は通常の三角形状の溝１０ａを加工するためのブローチング刃１ａから少なくともカッティングブレード１０の高さ以上離れた上部位置に提供される矩形状のブローチング刃４１ｄにより加工される。
【００５７】
前記カッティングブレード１０に三角形状および矩形状の溝１０ａ、１０ｂを形成する過程を参考のため説明すると、三角形状のブローチング刃４１ｄ等を用いて図１ａに示されているようにカッティングブレード１０に三角形状の溝１０ａを形成するか、矩形状のブローチング刃４１ｄを用いて図２ａに示されているようにカッティングブレード１０に矩形状の溝１０ｂを加工するよう、第２作動機具５２である油圧シリンダーの第２ピストンロッド５２ａの行程を調整することにより行なわれる。
【００５８】
換言すれば、前記カッティングブレード１０に三角形状の溝１０ａを加工するときは、矩形状のブローチング刃４１ｄが三角形状の溝１０ｂを加工するためのブローチング刃４１ｄから少なくともカッティングブレード１０の高さ以上離れた上部位置に形成されるため、矩形状のブローチング刃４１ｄはカッティングブレード１０との接触が防止されるよう第２作動機具５２である油圧シリンダーの第２ピストンロッド５２ａの行程を短くし、矩形状の溝１０ｂを加工するときは第２作動機具５２である油圧シリンダーの第２ピストンロッド５２ａの行程を長く調整すればよい。
【産業上の利用可能性】
【００５９】
以上で詳しく説明したように、本発明にかかわるカッティングブレードの溝加工装置によれば、カッティングブレードを折り曲げようとする方向の表面に溝を加工するときカッティングブレードの他の一方の面を支持している状態で加工することにより、カッティングブレードの変形が防止され正確な形状の溝に加工することができる有用なものである。
【００６０】
さらに、前記溝を形成した後にブローチングバイトがカッティングブレードと接触しないようカッティングブレードからブローチングバイトを後退させ復帰させることにより、カッティングブレードとの接触による摩擦熱の発生を防止することができるのである。
【００６１】
そして、本発明は１つのブローチングバイトで折り曲げのための三角形状の溝を形成することができ、２つのカッティングブレードをＴ形に形成するため、カッティングブレードの溝に他のカッティングブレードを溶接するとき一層大きい溶接強度が保障される矩形状の溝を容易に形成することができる有用なものである。
【００６２】
前記のような実施例で第１、第２駆動機具をエアシリンダーおよび油圧シリンダーで示して説明したが、モーター等のような別の駆動機具に取り替えて用いることができるのは本発明の技術分野において通常の知識を有する者には自明なことである。
【図面の簡単な説明】
【００６３】
【図１ａ】カッティングブレードに三角形状の溝が形成された状態を示す斜視図である。
【図１ｂ】図１ａにおいて溝を基準に折り曲げた状態のカッティングブレードを示す平面図である。
【図２ａ】カッティングブレードに矩形状の溝が形成された状態を示す斜視図である。
【図２ｂ】図２ａにおけるカッティングブレードの溝に他のカッティングブレードをＴ形に溶接した状態のカッティングブレードを示す平面図である。
【図３】本発明にかかわるカッティングブレードの溝加工装置を示す斜視図である。
【図４】図３において一部を分解した状態の斜視図である。
【図５】本発明にかかわるカッティングブレードの溝加工装置をカッティングブレード成形装置に取り付けた状態を示す断面図である。
【図６】図５において一対のブローチングバイトがカッティングブレードを把持した状態の正面図である。
【図７】本発明にかかわるブローチングバイトだけを抜粋して示す斜視図である。
【図８ａ】本発明にかかわる装置においてカッティングブレードに三角形状の溝を加工する過程を順次示す図である。
【図８ｂ】本発明にかかわる装置においてカッティングブレードに三角形状の溝を加工する過程を順次示す図である。
【図８ｃ】本発明にかかわる装置においてカッティングブレードに三角形状の溝を加工する過程を順次示す図である。
【図８ｄ】本発明にかかわる装置においてカッティングブレードに三角形状の溝を加工する過程を順次示す図である。
【図８ｅ】本発明にかかわる装置においてカッティングブレードに三角形状の溝を加工する過程を順次示す図である。
【図１ａ】
2005517545.tif 000003
【図１ｂ】
2005517545.tif 000004
【図２ａ】
2005517545.tif 000005
【図２ｂ】
2005517545.tif 000006
【図３】
2005517545.tif 000007
【図４】
2005517545.tif 000008
【図５】
2005517545.tif 000009
【図６】
2005517545.tif 000010
【図７】
2005517545.tif 000011
【図８ａ】
2005517545.tif 000012
【図８ｂ】
2005517545.tif 000013
【図８ｃ】
2005517545.tif 000014
【図８ｄ】
2005517545.tif 000015
【図８ｅ】
2005517545.tif 000016
【国際調査報告】
2005517545.tif 000017